(57)【要約】      （修正有）【課題】移動時の振動でゴルフバッグ内のアイアンゴルフクラブ同士の干渉による傷を防ぎ、出し入れを簡単かつアイアンクラブを保持させるゴルフアイアンクラブ収納用具を提供する。【解決手段】ゴルフアイアンクラブ整列用具１の上部にアイアンゴルフクラブの最大ロフトより大きな角度で一辺が垂直のＶ形状を持つ溝付板２を設け、その下にアイアンクラブホーゼル部を吸着ガイドするためのマグネットユニット４、アイアンホーゼルガイド板５と、キャディバッグの上両縁部に乗せるための高さ調整できる支持板７、ゴルフバッグの内寸に合わせたシャフト受け板６で構成されるアイアンクラブ整列用具をキャディバッグに挿入後アイアンクラブを番手順に並べることで整列させることができる。また移動の際は固定バンド、全体ヘッドカバー等にて整列用具に固定してゴルフバッグカバーの中に収納できる。【選択図】図１
0003185081.tif 000002
【実用新案登録請求の範囲】
【請求項１】
ゴルフアイアンクラブ収納用具の上部にあってアイアンゴルフクラブの最大ロフトより大きな角度で一辺が垂直のＶ形溝を複数持つ溝付板とその下にマグネットユニット、そして直下にアイアンクラブホーゼル部直径よりわずかに大きな溝形状で溝付板と同数の溝をもち柔軟性材料でできているのアイアンホーゼルガイド板とさらにその下にアイアンクラブ重心位置より下方向に長いシャフト受け板、そしてゴルフバッグに差し込み時に横方向の上部両縁に乗せる為の高さ調整のできる支持板からなり、アイアンクラブを収納整列するゴルフアイアンクラブ収納用具
【考案の詳細な説明】
【技術分野】
【０００１】  本発明はアイアンクラブの収納時の保持力を高め、取り出し及び収納を容易にすると共にアイアンクラブ同士の干渉による損傷を防止するためのゴルフアイアンクラブ収納用具に関する。
【背景技術】
【０００２】  アイアンクラブを収納させるための溝付板及びホーゼルガイド板の複数溝部を有したゴルフアイアンクラブ収納用具をゴルフバッグに差込むことでアイアンクラブを並べられるようにする。
【考案の概要】
【考案が解決しようとする課題】
【０００３】  ゴルフバッグには仕切りがあり手前より１、２段目に多くのアイアンクラブを並べる場合が多い。またウッドクラブは形状の差が大きく番手を容易に確認し易いのに対しアイアンクラブは形状の差が小さく数量も多いので取り出し時、確認に注意する必要があった。【０００４】  プレーの移動中にアイアンクラブ同士の干渉により傷が付きやすいのでヘッドカバーを被せる場合もあるがカバー脱着の煩わしさで傷がつくのを容認しているケースが多い。【０００５】  以上により本発明はゴルフバッグにゴルフアイアンクラブ収納用具を差込、上部溝板部にアイアンクラブを並べておきホーゼル部のガイド及びマグネットによる磁力によりアイアンクラブを保持し、移動中に傷がつき難く取り出し、収納整列しやすくした。
【課題を解決するための手段】
【０００６】  本発明はゴルフバッグ左右方向の内寸に合わせたシャフト受け板、溝付板、アイアンクラブホーゼル部の吸着用マグネットユニット及びアイアンホーゼルガイド板を装備したゴルフアイアンクラブ収納用具をゴルフバッグに差し込む。【０００７】  アイアンクラブの最大シャフト長さに合わせてゴルフバッグ上部両縁でゴルフアイアンクラブ収納用具を保持する支持板をシャフト受け板の穴位置を選び、高さ調整し締結する。【０００８】  アイアンクラブを溝付板及びホーゼルガイド板に並べることで磁力固定、整列され移動中も傷付きにくくプレー後の移動の際は固定バンド、一体形ヘッドカバー等を使用することでゴルフバッグカバー被せることができるようにしたゴルフアイアンクラブ収納用具。
【考案の効果】
【０００９】  本発明のゴルフアイアンクラブ収納用具はゴルフバッグに差込むことで、アイアンクラブを並べたときの重心がゴルフアイアンクラブ収納用具の支持板より下方向となり、シャフト受け板の長さがその重心位置より下方にあることで、複数のアイアンクラブのシャフトがシャフト受け板下端部を押え、ゴルフアイアンクラブ収納用具が安定し倒れることがない。さらに溝付板とマグネットにてアイアンクラブのホーゼル部を吸着固定、ホーゼル部ガイド板により整列させアイアンクラブ同士の干渉による傷を防止している。またクラブの出し入れは磁力の受けにくい方向に移動させるので、磁力に対しかなり少ない力で容易に行うことができ、アイアンクラブのシャフトをアイアンホーゼルガイド板溝に入れ、ヘッドを溝付板の近くで放してもキャディバッグ内での他クラブとの抵抗が少なければ自重で収納できる。また整列されている為プレー中に番手を確認し易くアイアンの置き忘れも発見しやすい。さらに最大ロフト角度以上で一辺が垂直のＶ形状の上下方向調整固定できる溝付板により各種ヘッド幅方向の隙間を調整でき振れを抑え、番手順にならば左右どちらからでも並べられ通常の直線的な整列と扇形の整列ができる効果がある。
【図面の簡単な説明】
【００１０】
【図１】ゴルフアイアンクラブ収納用具の斜視図
【図２】一般的なゴルフバッグの斜視図
【図３】ゴルフアイアンクラブ収納用具をゴルフバッグに入れてアイアンクラブを並べた斜視図
【考案を実施するための形態】
【００１１】  ゴルフバッグの形状に幅方向の内寸、仕切り位置及び数に合わせたシャフト受け板６の高さ調整用複数孔９に支持板７を最長のアイアンクラブに合わせて連結したゴルフアイアンクラブ収納用具１をゴルフバッグ１２に差し込む。以下に図面を参照して説明する。図１はゴルフアイアンクラブ収納用具の斜視図、図２は一般的なゴルフバッグの斜視図、図３はゴルフバッグ１２に収納用具１を差し込み、アイアンクラブを並べた斜視図である。
【実施例１】
【００１２】  図１は請求項１の実施形態に係わるゴルフアイアンクラブ収納用具１の斜視図である。上部にアイアンクラブロフト最大角度以上で一辺が垂直の同一Ｖ形状複数溝を持つ溝付板２、アイアンクラブトップライン部１１でアイアンクラブ重量を受けるヘッド受け３、アイアンクラブホーゼル部１０を吸着するマグネットユニット４、アイアンホーゼルガイド板５、アイアンシャフトを受けるシャフト受け板６及びアイアンシャフトの最大長さに合わせて支持板７を高さ調整ネジ８にて複数の高さ調節用孔の９に選択締結することによりゴルフバッグに挿入セットできる。図２は一般的なゴルフバッグ１２の参考図である。【００１３】  図３はゴルフバッグ１２にゴルフアイアンクラブ収納用具１を挿入、アイアンクラブを番手順に並べた斜視図である。
【産業上の利用可能性】
【００１４】  高価なアイアンクラブを使用する人は傷が付きにくいようにカバーを被せる等の処置をしている。しかし着脱が煩わしく、乱雑に置かれている場合がほとんどである。本発明は収納用具の溝付板及びホーゼル部ガイド板の溝部に番手順にアイアンクラブを置くことでホーゼル部を磁力で固定でき移動時の振動に対し外れにくくし、アイアンクラブの抜く際磁力に影響しにくい方向となっている。また溝付板とホーゼル部ガイド板によりトップラインの方向を位置決めでき美的な整列ができる。また固定バンド，アイアンクラブ全体用のヘッドカバーにて固定することでゴルフバッグのカバーを被せることができる。
【符号の説明】
【００１５】１ゴルフアイアンクラブ収納用具
２溝付板
３ヘッド受け
４マグネットユニット
５アイアンホーゼルガイド板
６シャフト受け板
７支持板
８高さ調整ネジ
９高さ調整用孔
１０アイアンクラブホーゼル部
１１アイアンクラブトップライン部
１２一般的なゴルフバッグ
【図１】
0003185081.tif 000003
【図２】
0003185081.tif 000004
【図３】
0003185081.tif 000005